(57)【要約】【課題】画像表示板への振動防止が図られるとともに構造の簡素化および低コスト化が図られた画像表示ユニットおよびその画像表示ユニットを備えた電子機器を提供する。【解決手段】光源３４から発せられた光を入射して液晶表示板３２を裏面から照らす導光板３１と、その液晶表示板３２に表示される画像を指示するスイッチをオン、オフさせるカーソルキー３５＿１，３５＿２とを、途中にバネ性を持たせたバネ部３１＿１，３１＿２を介在させて一体成形した。【選択図】        図３
2004325834.tif 000002
【特許請求の範囲】
【請求項１】
画像を表示する画像表示板と、
光源と、
前記光源から発せられた光を入射して前記画像表示板裏面に導き該画像表示板を裏面から照らす導光板と、
前記画像表示板に表示される画像を指示するスイッチをオン、オフさせる押ボタンとを備え、
前記導光板と前記押ボタンが、途中にバネ性を持たせたバネ部を介在させて一体成形されたものであることを特徴とする画像表示ユニット。
【請求項２】
前記画像表示板が液晶表示板であることを特徴とする請求項１記載の画像表示ユニット。
【請求項３】
画像を表示する画像表示ユニットを備えた電子機器において、
前記画像表示ユニットが、
画像を表示する画像表示板と、
光源と、
前記光源から発せられた光を入射して前記画像表示板裏面に導き該画像表示板を裏面から照らす導光板と、
前記画像表示板に表示される画像を指示するスイッチをオン、オフさせる押ボタンとを備え、
前記導光板と前記押ボタンが、途中にバネ性を持たせたバネ部を介在させて一体成形されたものであることを特徴とする電子機器。
【請求項４】
前記電子機器が、被写体光を固体撮像素子上に導いて画像信号を生成するデジタルカメラであることを特徴とする請求項３記載の電子機器。
【発明の詳細な説明】
【０００１】
【発明の属する技術分野】
本発明は、画像を表示する画像表示ユニットおよびその画像表示ユニットを備えた電子機器に関する。
【０００２】
【従来の技術】
従来より、画像を表示する画像表示板と、その画像表示板の周囲に配備されてその画像表示板に表示される画像を指示するスイッチをオン、オフさせる押ボタンとを備えた画像表示ユニットが知られている。このような画像表示ユニットは、例えば電子機器の１つであるデジタルカメラに好適に組み込まれる。
【０００３】
図６は、従来のデジタルカメラに組み込まれた画像表示ユニットを示す図である。
【０００４】
図６（ａ）には、デジタルカメラの背面側のカバーを取り外した状態の画像表示ユニット１００が示されている。また、図６（ｂ）には、その画像表示ユニット１００が上記カバーで覆われた状態が示されている。
【０００５】
図６（ａ）に示す画像表示ユニット１００には、導光板１０１と、導光板１０１の所定の領域に配備された液晶表示板１０２および半導体集積回路１０３と、導光板１０１の端面に配備された光源１０４とが備えられている。
【０００６】
導光板１０１は、図６（ａ）の上下方向に、カメラ筐体に固定するための穴１０１ａ，１０１ｂ，１０１ｃ，１０１ｄを有する。この導光板１０１は、光源１０４から発せられた光を入射して液晶表示板１０２の裏面に導き、その液晶表示板１０２を裏面から照射する。
【０００７】
液晶表示板１０２は、ドットマトリックスタイプの液晶表示板であり、この液晶表示板１０２には、カメラの操作に必要なメニューやモード等を表わす画像が表示される。
【０００８】
半導体集積回路１０３には、液晶表示板１０２に表示される画像を表わす画像データが格納される。
【０００９】
光源１０４には、発光素子（ＬＥＤ）が好適に用いられる。この光源１０４は、導光板１０１の端面に向けて、液晶表示板１０２を裏面から照射するためのバックライト用の光を出射する。
【００１０】
さらに、この画像表示ユニット１００には、図示しない回路基板に実装されたスイッチをオン、オフさせる押ボタンであるカーソルキー１０５＿１，１０５＿２と、それらカーソルキー１０５＿１，１０５＿２を支持する支持部材１０６が備えられている。支持部材１０６は、カメラ筐体に固定するための穴１０６ａ，１０６ｂを有する。
【００１１】
このように構成された画像表示ユニット１００が、デジタルカメラ背面側の、図６（ａ）に示す所定の寸法Ｗ１を有する配置領域に取り付けられ、最終的にデジタルカメラの背面側がカバーで覆われて、液晶表示板１０２とカーソルキー１０５＿１，１０５＿２のみが、図６（ｂ）に示す寸法Ｗ２だけ離間して露出される。ユーザは、カーソルキー１０５＿１，１０５＿２を介してスイッチをオン、オフさせることにより液晶表示板１０２に表示された画像で表わされるメニューやモードを選択する。
【００１２】
また、例えば、液晶表示素子が配備された導光板とキートップとを透光性樹脂で一体成形し、導光板を介して液晶表示素子に光を照射する技術が提案されている（特許文献１参照）。
【００１３】
さらに、液晶表示素子を支持する支持フレームを金属等で形成してその液晶表示素子を安定に保持するとともに、その支持フレームとスイッチを構成する可動接点バネとを一体に形成した技術も提案されている（特許文献２参照）。
【００１４】
【特許文献１】
実開平６−２１１２７号公報
【特許文献２】
特開平１０−１１６５３５号公報
【００１５】
【発明が解決しようとする課題】
前述した図６に示す画像表示ユニット１００は、導光板１０１の穴１０１ｃ，１０１ｄの下部に、カーソルキー１０５＿１，１０５＿２が配備されてなる構成であるため、液晶表示板１０２とカーソルキー１０５＿１，１０５＿２との寸法Ｗ２（図６（ｂ）参照）は比較的大きい。即ち、画像表示ユニット１００を構成する液晶表示板１０２（表示部）とカーソルキー１０５＿１，１０５＿２（操作部）との離間距離は比較的大きく、従って操作性に欠けるという問題がある。そこで、液晶表示板とカーソルキーとの離間距離の短縮化が図られた画像表示ユニットが考えられる。
【００１６】
図７は、液晶表示板とカーソルキーとの距離の短縮化が図られた画像表示ユニットを示す図である。
【００１７】
尚、図６に示す画像表示ユニットと同じ構成要素には同一の符号を付して説明する。
【００１８】
図７（ａ）に示す画像表示ユニット１１０には、カメラ筐体に固定するための穴１１１ａ，１１１ｂ，１１１ｃ，１１１ｄを図７（ａ）の左右方向に有する導光板１１１が備えられている。このため、液晶表示板１０２とカーソルキー１０５＿１，１０５＿２との離間距離は比較的短くて済む。しかし、この画像表示ユニット１１０は、所定の寸法Ｗ１を有する配置領域に、上記穴１１１ａ，１１１ｂ，１１１ｃ，１１１ｄを有する導光板１１１を取り付けるものであるため、液晶表示板１１２の横幅の寸法Ｗ３は、前述した液晶表示板１０２の横幅の寸法よりも小さくする必要があり、従って表示能力に欠けるという問題が発生する。
【００１９】
また、上述した特許文献１に提案された技術では、液晶表示素子が配備された導光板とキートップとが一体成形されているため、キートップを介してキースイッチを押すと、その押圧力によりキートップと一体成形された導光板が振動する。すると、導光板に配備された液晶表示素子も振動し、その液晶表示素子に表示される文字等の情報が見づらいという問題がある。
【００２０】
また、特許文献２に提案された技術では、液晶表示素子を支持する支持フレームとスイッチを構成する可動接点バネとが一体に形成されてなるものであるため、構造が簡素化されるものの、カーソルキーを介してスイッチを押すと、そのスイッチを構成する可動接点バネと一体に形成された支持フレームが振動し、その支持フレームに支持された液晶表示素子も振動するという問題がある。
【００２１】
本発明は、上記事情に鑑み、画像表示板への振動防止が図られるとともに構造の簡素化および低コスト化が図られた画像表示ユニットおよびその画像表示ユニットを備えた電子機器を提供することを目的とする。
【００２２】
【課題を解決するための手段】
上記目的を達成する本発明の画像表示ユニットは、
画像を表示する画像表示板と、
光源と、
上記光源から発せられた光を入射して上記画像表示板裏面に導きその画像表示板を裏面から照らす導光板と、
上記画像表示板に表示される画像を指示するスイッチをオン、オフさせる押ボタンとを備え、
上記導光板と上記押ボタンが、途中にバネ性を持たせたバネ部を介在させて一体成形されたものであることを特徴とする。
【００２３】
本発明の画像表示ユニットは、光源から発せられた光を入射して画像表示板を裏面から照らす導光板と、その画像表示板に表示される画像を指示するスイッチをオン、オフさせる押ボタンとが、途中にバネ性を持たせたバネ部を介在させて一体成形されたものであるため、押ボタンを介して上記スイッチをオン、オフさせても、その押ボタンによる押圧力がそのバネ部で吸収される。従って、画像表示板への振動防止が図られる。また、上記導光板と押ボタンとが一体成形されたものであるため、表示部と操作部とを別々に備えた画像表示ユニットと比較し、構造の簡素化および低コスト化が図られる。
【００２４】
また、本発明の画像表示ユニットにおける上記画像表示板が液晶表示板であることが好ましい。
【００２５】
画像表示板が液晶表示板であると、画像表示ユニットの低消費電力化および薄型化が図られる。
【００２６】
また、上記目的を達成する本発明の電子機器は、画像を表示する画像表示ユニットを備えた電子機器において、
上記画像表示ユニットが、
画像を表示する画像表示板と、
光源と、
上記光源から発せられた光を入射して上記画像表示板裏面に導きその画像表示板を裏面から照らす導光板と、
上記画像表示板に表示される画像を指示するスイッチをオン、オフさせる押ボタンとを備え、
上記導光板と上記押ボタンが、途中にバネ性を持たせたバネ部を介在させて一体成形されたものであることを特徴とする。
【００２７】
本発明の電子機器は、上記画像表示ユニットを備えたものであるため、その電子機器に備えられた画像表示ユニットを構成する画像表示板への振動防止が図られるとともに構造の簡素化および低コスト化が図られる。
【００２８】
ここで、上記電子機器が、被写体光を固体撮像素子上に導いて画像信号を生成するデジタルカメラであることが好ましい。
【００２９】
上記電子機器がデジタルカメラであると、そのデジタルカメラの操作に必要なメニューやモード等を表わす画像を表示する画像表示板への振動防止が図られるとともに構造の簡素化および低コスト化が図られる。
【００３０】
【発明の実施の形態】
以下、本発明の実施形態について説明する。
【００３１】
図１は、本発明の電子機器の一実施形態であるデジタルカメラを前面斜め上から見た外観斜視図である。
【００３２】
図１に示すデジタルカメラ１は、被写体光をＣＣＤセンサ等の固体撮像素子上に導いて画像信号を生成して画像データを得、この画像データに圧縮処理を施してもしくはそのままスマートメディア等の記録媒体上に記録するデジタルカメラである。
【００３３】
このデジタルカメラ１の前面中央部には、光学ズームレンズ１１ａを内部に備えたズーム鏡胴１１が備えられている。
【００３４】
また、このデジタルカメラ１には、一般にアクティブタイプと呼ばれるオートフォーカス（ＡＦ）装置が内蔵されており、このデジタルカメラ１の前面上部には、デジタルカメラ１の前方に向けて測距用の光を放つためのＡＦ投光窓１２と、そのＡＦ投光窓１２から所定距離離れた位置に配置されて上記ＡＦ投光窓１２からデジタルカメラ１の前方に放たれ被写体で反射して戻ってきた光を受光するためのＡＦ受光窓１３と、光学式ファインダ対物窓１４と、図示しないフラッシュ測光センサに光を導くためのフラッシュ調光窓１５と、フラッシュ光を発光するフラッシュ発光部１６とが備えられている。さらに、このデジタルカメラ１の上面には、シャッタボタン１７が備えられている。
【００３５】
また、このデジタルカメラ１の側面には、このデジタルカメラ１により撮影された被写体の画像データをテレビやプロジェクタ等に出力するためのケーブルが接続される映像出力端子１８と、このデジタルカメラ１により撮影された被写体の画像データをＵＳＢ（Ｕｎｉｖｅｒｓａｌ  Ｓｅｒｉａｌ  Ｂｕｓ）端子が備えられたパーソナルコンピュータ等に出力し、およびこのようなパーソナルコンピュータ等からデジタルカメラ１に画像データを入力するためのケーブルが接続されるＵＳＢ端子１９が備えられている。
【００３６】
図２は、図１のデジタルカメラを背面斜め上から見た外観斜視図である。
【００３７】
このデジタルカメラ１の背面には、電源スイッチ２１と、ファインダ接眼窓２２と、光学ズームレンズ１１ａをテレ側（望遠側）あるいはワイド側（広角側）に動作させるズーム操作レバー２３と、画像表示ユニット３０とが備えられている。画像表示ユニット３０には、液晶表示板３２と、カーソルキー３５＿１，３５＿２と、上下キー３７とが備えられている。ユーザは、これらカーソルキー３５＿１，３５＿２，上下キー３７を介してスイッチをオン、オフさせることにより液晶表示板３２に表示された画像で表わされるメニューやモードを選択する。以下、この画像表示ユニット３０の構成について、図３を参照して説明する。
【００３８】
図３は、図２に示すデジタルカメラの背面側のカバーを取り外した状態における画像表示ユニットを示す図である。
【００３９】
尚、ここでは図を分かり易くするために、上下キー３７は図示省略している。
【００４０】
図３に示す画像表示ユニット３０は、図２に示すデジタルカメラ１の背面側の、図３に示す所定の寸法Ｗ１を有する配置領域に取り付けられている。この画像表示ユニット３０には、上述した液晶表示板３２が備えられている。この液晶表示板３２は、ドットマトリックスタイプの液晶表示板であり、本発明にいう画像表示板の一例に相当するものである。この液晶表示板３２には、デジタルカメラ１の操作に必要なメニューやモード等を表わす画像が表示される。
【００４１】
また、画像表示ユニット３０には、デジタルカメラ１の筐体に固定するための穴３１ａ，３１ｂを上部に有する導光板３１が備えられている。この導光板３１の所定の領域には、上記液晶表示板３２および半導体集積回路３３が配備されている。半導体集積回路３３には、液晶表示板３２に表示される画像を表わす画像データが格納されている。
【００４２】
さらに、画像表示ユニット３０には、導光板３１の端面に配備された光源３４が備えられている。この光源３４には、発光素子（ＬＥＤ）が好適に用いられる。この光源３４は、導光板３１の端面に向けて、液晶表示板３２を裏面から照射するためのバックライト用の光を出射する。導光板３１は、光源３４から発せられた光を入射して液晶表示板３２の裏面に導き、その液晶表示板３２を裏面から照射する。
【００４３】
また、画像表示ユニット３０には、図示しない回路基板に実装されたスイッチをオン、オフさせるカーソルキー３５＿１，３５＿２（本発明にいう押ボタンの一例に相当）が備えられている。尚、これらカーソルキー３５＿１，３５＿２で挟まれた領域３６に、図２に示す上下キー３７が配備される。
【００４４】
ここで、導光板３１とカーソルキー３５＿１，３５＿２は、途中にバネ性を持たせたバネ部３１＿１，３１＿２を介在させて透光性を有するプラスチック樹脂で一体成形されている。また、カーソルキー３５＿１，３５＿２の下部には、デジタルカメラ１の筐体に固定するための穴３１ｃ，３１ｄが設けられている。
【００４５】
図４は、図３に示す画像表示ユニットの断面を示す図である。
【００４６】
本実施形態の画像表示ユニット３０は、図４に示すように、液晶表示板３２を裏面から照らす導光板３１と、液晶表示板３２に表示される画像を指示するスイッチをオン、オフさせるカーソル３５＿１，３５＿２（ここではカーソル３５＿１のみ図示）とが、途中にバネ性を持たせたバネ部３１＿１，３１＿２（ここではバネ部３１＿１のみ図示）を介在させて一体成形されたものであるため、カーソル３５＿１，３５＿２を介してスイッチをオン、オフさせても、それらカーソル３５＿１，３５＿２による押圧力がバネ部３１＿１，３１＿２で吸収される。従って、液晶表示板３２への振動防止が図られる。
【００４７】
図５は、図４に示す画像表示ユニットがデジタルカメラの背面側のカバーで覆われた状態を示す図である。
【００４８】
本実施形態の画像表示ユニット３０では、図３を参照して説明したように、デジタルカメラ１の筐体に固定するための穴３１ａ，３１ｂ，３１ｃ，３１ｄは、導光板３１の上部およびカーソルキー３５＿１，３５＿２の下部に備えられている。このため、表示部である液晶表示板３２と、操作部であるカーソルキー３５＿１，３５＿２，上下キー３７との寸法Ｗ１１は比較的小さく、従って操作性が高まる。また、液晶表示板３２の横幅の寸法Ｗ１２も比較的大きく、表示能力に富んでいる。さらに、導光板３１とカーソルキー３５＿１，３５＿２とが金型を使用して一体成形されているため、構造の簡素化および低コスト化が図られている。
【００４９】
尚、本実施形態では、液晶表示板を備えた画像表示ユニットの例で説明したが、本発明は、これに限られるものではなく、画像を表示する画像表示板を備えた画像表示ユニットであればよい。
【００５０】
また、本実施形態では、被写体光を固体撮像素子上に導いて画像信号を生成するデジタルカメラの例で説明したが、ロール状の写真フイルム上に写真撮影を行なう通常のカメラであってもよく、また、本発明は、このようなカメラに限られるものではなく、画像を表示する画像表示ユニットを備えた電子機器であればよい。
【００５１】
【発明の効果】
以上説明したように、本発明によれば、画像表示板への振動防止が図られるとともに構造の簡素化および低コスト化が図られた画像表示ユニットおよびその画像表示ユニットを備えた電子機器を提供することができる。
【図面の簡単な説明】
【図１】本発明の電子機器の一実施形態であるデジタルカメラを前面斜め上から見た外観斜視図である。
【図２】図１のデジタルカメラを背面斜め上から見た外観斜視図である。
【図３】図２に示すデジタルカメラの背面側のカバーを取り外した状態における画像表示ユニットを示す図である。
【図４】図３に示す画像表示ユニットの断面を示す図である。
【図５】図４に示す画像表示ユニットがデジタルカメラの背面側のカバーで覆われた状態を示す図である。
【図６】従来のデジタルカメラに組み込まれた画像表示ユニットを示す図である。
【図７】液晶表示板とカーソルキーとの距離の短縮化が図られた画像表示ユニットを示す図である。
【符号の説明】
１  デジタルカメラ
１１  ズーム鏡胴
１１ａ  光学ズームレンズ
１２  ＡＦ投光窓
１３  ＡＦ受光窓
１４  光学式ファインダ対物窓
１５  フラッシュ調光窓
１６  フラッシュ発光部
１７  シャッタボタン
１８  映像出力端子
１９  ＵＳＢ端子
２１  電源スイッチ
２２  ファインダ接眼窓
２３  ズーム操作レバー
３０  画像表示ユニット
３１  導光板
３１ａ，３１ｂ，３１ｃ，３１ｄ  穴
３１＿１，３１＿２  バネ部
３２  液晶表示板
３３  半導体集積回路
３４  光源
３５＿１，３５＿２  カーソルキー
３７  上下キー
３６  カーソルキー３５＿１，３５＿２で挟まれた領域
【図１】
2004325834.tif 000003
【図２】
2004325834.tif 000004
【図３】
2004325834.tif 000005
【図４】
2004325834.tif 000006
【図５】
2004325834.tif 000007
【図６】
2004325834.tif 000008
【図７】
2004325834.tif 000009